(57)【要約】      （修正有）【課題】ボールが打球面に接触する時間を伸ばすことが可能なゴルフクラブヘッドを提供する。【解決手段】本体２０にスペーサ３０およびフェイス部４０が重ね合わさり接合される。本体２０の装着面２２２にスペーサ３０の下側表面３２が接合し、スペーサ３０の上側表面３１にフェイス部４０の下側連結面４２が接合する。フェイス部４０の溝部４４は、スペーサ３０の上側表面３１が下側表面３２に向かって凹んで形成される溝部３４に対応する。本体２０、スペーサ３０、フェイス部４０の接合は、爆発溶接、摩擦溶接またはろう付けを使用する。フェイス部４０およびスペーサ３０、スペーサ３０および本体２０は、それぞれ一体品ではなく接合されるため、フェイス部４０とスペーサ３０との間、スペーサ３０と本体２０との間をそれぞれ相対的に弾性変形させることができる。【選択図】図３
0003188620.tif 000002
【実用新案登録請求の範囲】
【請求項１】
本体、スペーサおよびフェイス部を備え、
本体は、装着面を有し、
スペーサは、互いに反対面の関係にある上側表面および下側表面を有し、下側表面は本体の装着面に固定され、
フェイス部は、互いに反対面の関係にある打球面および下側連結面と、打球面を下側連結面に向かって凹ませて形成した複数の溝部とを有し、下側連結面はスペーサの上側表面に固定されることを特徴とするゴルフクラブヘッド
【請求項２】
スペーサは、上側表面が下側表面に向かって凹むことによって形成された複数の溝部を有し、フェイス部の溝部はスペーサの溝部に対応することを特徴とする請求項１に記載のゴルフクラブヘッド    
【請求項３】
本体は、さらに側壁面を有し、装着面および側壁面は凹状部を構成し、スペーサおよびフェイス部は凹状部に位置付けられることを特徴とする請求項１または請求項２に記載のゴルフクラブヘッド
【請求項４】
スペーサは、さらに上側表面および下側表面の間に位置する側面を有し、側面は本体の側壁面に固定されることを特徴とする請求項３に記載のゴルフクラブヘッド。
【請求項５】
フェイス部は、さらに打球面と下側連結面との間に位置する側辺連結面を有し、側辺連結面は本体の側壁面に固定されることを特徴とする請求項３に記載のゴルフクラブヘッド。
【請求項６】
スペーサは、爆発溶接、摩擦溶接またはろう付けの接合によって本体に固定されることを特徴とする請求項１または請求項２に記載のゴルフクラブヘッド。
【請求項７】
フェイス部は、爆発溶接、摩擦溶接またはろう付けの接合によってスペーサに固定されることを特徴とする請求項１または請求項２に記載のゴルフクラブヘッド。
【考案の詳細な説明】
【技術分野】
【０００１】
本考案は、ゴルフクラブヘッド、特に弾性が比較的よいゴルフクラブヘッドに関するものである。
【背景技術】
【０００２】
従来のゴルフクラブヘッドは、本体およびフェイス部から構成される。本体はゴルフクラブのシャフトの一端に連結される。フェイス部は本体に固定され、ボールに接触する平面と、一定の距離を置いて平面を平行に凹ませて形成した複数の溝部とを有する。溝部はフェイス部とボールの間の摩擦力を増大させ、ボールがフェイス部に接触する時間を伸ばすことができるため、打撃されたボールを比較的遠いところまで飛行することができる。
【０００３】
上述したゴルフクラブヘッドは本体の剛性が大きく、かつ一体成形品でないフェイス部と本体との間のみが相対的に弾性変形できるため、全体の弾性があまり良くない。また溝部およびフェイス部の弾性によってボールがフェイス部に接触する時間を伸ばす効果は限られるため、改善の余地がある。
【考案の概要】
【考案が解決しようとする課題】
【０００４】
本考案は、上述した欠点に鑑み、弾性を向上させることによってボールが打球面に接触する時間を伸ばすことができるゴルフクラブヘッドを提供することを主な目的とする。
【課題を解決するための手段】
【０００５】
上述の目的を達成するために、本考案によるゴルフクラブヘッドは、本体、スペーサおよびフェイス部を備える。本体は装着面を有する。スペーサは互いに反対面の関係にある上側表面および下側表面を有する。下側表面は本体の装着面に固定される。フェイス部は互いに反対面の関係にある打球面および下側連結面と、打球面を下側連結面に向かって凹ませて形成した複数の溝部とを有する。下側連結面はスペーサの上側表面に固定される。
【０００６】
フェイス部およびスペーサは一体成形品ではなく接合されるため、フェイス部とスペーサとの間を相対的に弾性変形させることができる。スペーサおよび本体は一体成形品でなく接合されるため、スペーサと本体との間を相対的に弾性変形させることができる。従って、本考案によるゴルフクラブヘッドは弾性が従来のゴルフクラブヘッドより良いため、ボールを打つ際、ボールが打球面に接触する時間を伸ばし、ボールをもっと遠く飛行させることができる。
【０００７】
本考案によるゴルフクラブヘッドの詳細な構造、特徴、組み立ておよび使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【０００８】
【図１】本考案の一実施形態によるゴルフクラブヘッドを示す斜視図である。
【図２】本考案の一実施形態によるゴルフクラブヘッドを示す分解図である。
【図３】図１中の３−３線に沿った断面図である。
【図４】図１中の４−４線に沿った断面図である。
【考案を実施するための形態】
【０００９】
以下、本考案によるゴルフクラブヘッドを図面に基づいて説明する。
（一実施形態）
図１から図４に示すように、本考案の一実施形態によるゴルフクラブヘッド１０は、本体２０、スペーサ３０およびフェイス部４０を備える。
【００１０】
本体２０は、剛性および比重が比較的大きい金属材料(例えばステンレス)から製作され、基部２２と、基部２２の一側に位置するように一体に連結された連結部２４とを有する。連結部２４はゴルフクラブのシャフト（図中未表示）の一端に連結される。基部２２は相互に垂直の装着面２２２および側壁面２２４と、装着面２２２および側壁面２２４から形成された凹状部２２６とを有する。
【００１１】
スペーサ３０は、比重が本体２０より小さい金属材料（例えば炭素鋼、チタン合金または比重が小さいステンレス）から製作され、板状を呈し、かつ互いに反対面の関係にある上側表面３１および下側表面３２と、複数の平行に配列された複数の溝部３４とを有する。溝部３４は上側表面３１が下側表面３２に向かって凹むことによって形成される。スペーサ３０は輪郭が本体２０の凹状部２２６の形に対応し、さらに側壁面２２４に対応する側面３６を有する。側面３６は上側表面３１および下側表面３２との間に位置し、細長い平面状を呈する。
【００１２】
フェイス部４０は、比重がスペーサ３０より小さい金属材料（例えば比重が比較的小さいチタン合金）から製作され、スペーサ３０より薄い板状を呈し、互いに反対面の関係にある打球面４１および下側連結面４２と、複数の平行に配列された溝部４４とを有する。溝部４４は打球面４１が下側連結面４２に向かって凹むことによって形成される。フェイス部４０は輪郭がスペーサ３０に対応し、さらに本体２０の側壁面２２４に対応する側辺連結面４６を有する。側辺連結面４６は打球面４１と下側連結面４２との間に位置し、細長い平面状を呈する。
【００１３】
スペーサ３０およびフェイス部４０は本体２０に重なり、本体２０の凹状部２２６に位置する。スペーサ３０の下側表面３２は本体２０の装着面２２２に固定され、スペーサ３０の側面３６は本体２０の側壁面２２４に固定される。フェイス部４０の下側連結面４２はスペーサ３０の上側表面３１に固定され、フェイス部４０の側辺連結面４６は本体２０の側壁面２２４に固定される。上述した固定方式は爆発溶接、摩擦溶接またはろう付けによる接合を使用するが、これに限らない。図３に示すように、前述した固定作業が完了すると、フェイス部４０の溝部４４はスペーサ３０の溝部３４に対応する。
【００１４】
本考案実施形態によるゴルフクラブヘッド１０において、フェイス部４０およびスペーサ３０と、スペーサ３０および本体２０とは一体品ではなく重ね合わせて接合されるため、フェイス部４０およびスペーサ３０の間を相対的に弾性変形させ、スペーサ３０および本体２０の間を相対的に弾性変形させることができる。従って、本考案によるゴルフクラブヘッド１０は従来のゴルフクラブヘッドより弾性がよい。一方、フェイス部４０はスペーサ３０の溝部３４によってスペーサ３０に対する弾性変形作用が大きくなるため、ゴルフクラブヘッドの弾性がより良くなる。
【００１５】
上述したとおり、本考案によるゴルフクラブヘッド１０はフェイス部４０の溝部４４によってフェイス部４０とボールとの接触時の摩擦力を増大させ、ボールが打球面４２に接触する時間を伸ばすことができるだけでなく、良好な弾性によってボールが打球面４２に接触する時間を伸し、ボールをもっと遠く飛行させることができる。
【００１６】
以上、本考案は、上記実施形態になんら限定されるものではなく、考案の趣旨を逸脱しない範囲において種々の形態で実施可能である。
【符号の説明】
【００１７】
１０：ゴルフクラブヘッド、  
２０：本体、  
２２：基部、  
２２２：装着面、  
２２４：側壁面、  
２２６：凹状部、  
２４：連結部、  
３０：スペーサ、  
３１：上側表面、  
３２：下側表面、  
３４：溝部、  
３６：側面、  
４０：フェイス部、  
４１：打球面、  
４２：下側連結面、  
４４：溝部、  
４６：側辺連結面
【図１】
0003188620.tif 000003
【図２】
0003188620.tif 000004
【図３】
0003188620.tif 000005
【図４】
0003188620.tif 000006